(57)【特許請求の範囲】
【請求項１】
水平に対し所要角度で傾斜配置される筒体の一端側における開口に閉塞板を固着し、且つ筒体の他端側における開口に開閉蓋を着脱自在に取り付けてなるサイレンサ本体と、
該サイレンサ本体上部所要箇所に、蒸気ドレン配管が接続されるよう突設され、サイレンサ本体内にスチームトラップから蒸気ドレン配管を介して排出される蒸気と分離された蒸気ドレンを流入させるための蒸気ドレン配管ノズルと、
前記サイレンサ本体内に充填され、該サイレンサ本体内に流入する蒸気ドレンによる騒音を消すための消音材と、
前記サイレンサ本体下端部所要箇所に設けられ、蒸気ドレンを排出するための蒸気ドレン排出座と
を備え、
前記消音材をステンレスの切粉状の部材とし、
前記サイレンサ本体の開閉蓋を開けることにより消音材を交換可能としたことを特徴とする蒸気ドレンサイレンサ。
【発明の詳細な説明】
【０００１】
【発明の属する技術分野】
本発明は、蒸気ドレンサイレンサに関するものである。
【０００２】
【従来の技術】
一般に、ボイラプラントにおいては、図３に示される如く、ボイラ本体１で発生させた蒸気の一部をサービス蒸気配管２を介してプラント内の所望の設備へ送給し、使用することが行われているが、この場合、サービス蒸気配管２は、通常の配管と同様に、プラント内の構造物等を避けるために屈曲して配設されることがあり、特に他の部分より低くなった箇所に蒸気ドレンが滞留しやすくなる。
【０００３】
このため、サービス蒸気配管２途中の所要箇所に蒸気ドレン配管３を接続し、該蒸気ドレン配管３の端部にスチームトラップ４を設け、該スチームトラップ４から排出される蒸気ドレンを側溝５等に直接放出することにより、サービス蒸気配管２途中に蒸気ドレンが滞留することを防止するようにしていた。
【０００４】
【発明が解決しようとする課題】
しかしながら、前述の如く、蒸気ドレンを側溝５等に蒸気ドレン配管３から直接放出するのでは、騒音が発生すると共に、蒸気ドレンのはね返り等も生じるという問題を有していた。
【０００５】
本発明は、斯かる実情に鑑み、蒸気ドレン放出時における騒音の発生を抑制し得、且つ蒸気ドレンのはね返り等も防止し得る蒸気ドレンサイレンサを提供しようとするものである。
【０００６】
【課題を解決するための手段】
本発明は、水平に対し所要角度で傾斜配置される筒体の一端側における開口に閉塞板を固着し、且つ筒体の他端側における開口に開閉蓋を着脱自在に取り付けてなるサイレンサ本体と、
該サイレンサ本体上部所要箇所に、蒸気ドレン配管が接続されるよう突設され、サイレンサ本体内にスチームトラップから蒸気ドレン配管を介して排出される蒸気と分離された蒸気ドレンを流入させるための蒸気ドレン配管ノズルと、
前記サイレンサ本体内に充填され、該サイレンサ本体内に流入する蒸気ドレンによる騒音を消すための消音材と、
前記サイレンサ本体下端部所要箇所に設けられ、蒸気ドレンを排出するための蒸気ドレン排出座と
を備え、
前記消音材をステンレスの切粉状の部材とし、
前記サイレンサ本体の開閉蓋を開けることにより消音材を交換可能としたことを特徴とする蒸気ドレンサイレンサにかかるものである。
【０００７】
【０００８】
【０００９】
上記手段によれば、以下のような作用が得られる。
【００１０】
スチームトラップから蒸気ドレン配管を介して排出される蒸気と分離された蒸気ドレンは、蒸気ドレン配管ノズルからサイレンサ本体内に流入するが、該サイレンサ本体内には消音材が充填されているため、該消音材により蒸気ドレンの勢いが弱められて騒音の発生が抑えられる形となり、蒸気ドレンは、傾斜配置されたサイレンサ本体内を緩やかに流下して行き、蒸気ドレン排出座から排出されて側溝等へ放出される。
【００１１】
この結果、従来のように蒸気ドレンを側溝等に蒸気ドレン配管から直接放出するのに比べ、騒音が発生しなくなると共に、蒸気ドレンのはね返り等も生じなくなり、しかも、軽量で簡単な構造であるため、費用も安く済む。
【００１２】
前記蒸気ドレンサイレンサにおいては、消音材をステンレスの切粉状の部材としているため、消音材に錆等が発生する心配もない。
【００１３】
又、前記蒸気ドレンサイレンサにおいては、長期間に亘る使用に伴い消音材の劣化等が懸念されるような場合には、開閉蓋をあけることにより、開口から消音材を交換することが可能となる一方、サイレンサ本体内の点検等も併せて行うことが可能となる。
【００１４】
【発明の実施の形態】
以下、本発明の実施の形態を図示例と共に説明する。
【００１５】
図１及び図２は本発明を実施する形態の一例であって、図中、図３と同一の符号を付した部分は同一物を表わしており、両端を閉塞した筒状のサイレンサ本体６を脚部材７により水平に対し所要角度で傾斜配置し、該サイレンサ本体６上部所要箇所に、蒸気ドレン配管３が接続される蒸気ドレン配管ノズル８を突設し、前記サイレンサ本体６内に、該サイレンサ本体６内に流入する蒸気ドレンによる騒音を消すための消音材９を充填し、前記サイレンサ本体６下端部所要箇所に、蒸気ドレンを側溝５等へ排出するための蒸気ドレン排出座１０を設けることにより、蒸気ドレンサイレンサを構成したものである。
【００１６】
本図示例の場合、前記サイレンサ本体６は、鋼管等の筒体１１の一端側における開口１２に閉塞板１３を溶接して固着し、筒体１１の他端側における開口１４の縁部にフランジ１５を溶接して固着すると共に該フランジ１５に盲フランジのような開閉蓋１６をボルト・ナット１７により着脱自在に取り付けてなる構成を有しており、必要に応じて前記開閉蓋１６をあけることにより、消音材９を交換できるようにしてある。
【００１７】
又、前記消音材９は、錆等が発生しないように、ステンレスの切粉状の部材としてある。
【００１８】
尚、図１には、サイレンサ本体６に対し蒸気ドレン配管ノズル８を二本突設した例を示しているが、該蒸気ドレン配管ノズル８の本数は、必要に応じて一本でも二本以上の複数本でもよいことは言うまでもない。
【００１９】
次に、上記図示例の作動を説明する。
【００２０】
スチームトラップ４から蒸気ドレン配管３を介して排出される蒸気と分離された蒸気ドレンは、蒸気ドレン配管ノズル８からサイレンサ本体６内に流入するが、該サイレンサ本体６内には消音材９が充填されているため、該消音材９により蒸気ドレンの勢いが弱められて騒音の発生が抑えられる形となり、蒸気ドレンは、傾斜配置されたサイレンサ本体６内を緩やかに流下して行き、蒸気ドレン排出座１０から排出されて側溝５等へ放出される。
【００２１】
この結果、従来のように蒸気ドレンを側溝５等に蒸気ドレン配管３から直接放出するのに比べ、騒音が発生しなくなると共に、蒸気ドレンのはね返り等も生じなくなり、しかも、軽量で簡単な構造であるため、費用も安く済む。
【００２２】
又、前記消音材９は、ステンレスの切粉状の部材としてあるため、錆等が発生する心配もない。
【００２３】
更に又、長期間に亘る使用に伴い消音材９の劣化等が懸念されるような場合には、開閉蓋１６をあけることにより、開口１４から消音材９を交換することが可能となる一方、サイレンサ本体６内の点検等も併せて行うことが可能となる。
【００２４】
こうして、蒸気ドレン放出時における騒音の発生を抑制し得、且つ蒸気ドレンのはね返り等も防止し得、又、消音材９をステンレスの切粉状の部材としたことにより、錆等の発生を防止し得、更に又、開閉蓋１６の開閉により、消音材９の交換並びにサイレンサ本体６内の点検等も行い得る。
【００２５】
尚、本発明の蒸気ドレンサイレンサは、上述の図示例にのみ限定されるものではなく、本発明の要旨を逸脱しない範囲内において種々変更を加え得ることは勿論である。
【００２６】
【発明の効果】
以上、説明したように本発明の請求項１記載の蒸気ドレンサイレンサによれば、蒸気ドレン放出時における騒音の発生を抑制し得、且つ蒸気ドレンのはね返り等も防止し得、又、消音材をステンレスの切粉状の部材としたことにより、錆等の発生を防止し得、更に又、開閉蓋の開閉により、消音材の交換並びにサイレンサ本体内の点検等も行い得るという優れた効果を奏し得る。
【図面の簡単な説明】
【図１】  本発明を実施する形態の一例の側断面図である。
【図２】  図１のＩＩ−ＩＩ断面図である。
【図３】  従来例の全体概要構成図である。
【符号の説明】
３  蒸気ドレン配管
４  スチームトラップ
５  側溝
６  サイレンサ本体
８  蒸気ドレン配管ノズル
９  消音材
１０  蒸気ドレン排出座
１４  開口
１６  開閉蓋
【図１】
0004329224.tif 000002
【図２】
0004329224.tif 000003
【図３】
0004329224.tif 000004